(57)【要約】【課題】道路などの外部環境におかれる集光型太陽光発電装置の発電効率を向上させる。【解決手段】太陽光を集光する集光用レンズアレイ１０１と、前記集光した太陽光を受光する太陽電池素子２０と、前記太陽電池素子に接続される放熱板１０４とを有する太陽電池パネルと、前記太陽電池パネルの姿勢を制御する制御部とを備え、前記太陽電池素子２０は、閃亜鉛鉱型の結晶構造を有するＩＩＩ−Ｖ族半導体のｐｎ接合を含む光電変換部２０１と、電極とを有し、前記光電変換部は、長辺及び短辺を有する長方形の平面を、太陽光の入射面とする直方体である。【選択図】図２
2013008765.tif 000002
【特許請求の範囲】
【請求項１】
太陽電池素子と、
太陽光を前記太陽電池素子に集光するためのレンズアレイと、
放熱板と、を少なくとも含む太陽電池パネルと
前記太陽電池パネルの姿勢を制御する制御部とを含む集光型太陽光発電装置において、
前記太陽電池素子が、閃亜鉛鉱型の結晶構造を有するＩＩＩ−Ｖ族半導体のｐｎ接合を含む光電変換部および外部に電流を取り出す電極から構成され、
前記光電変換部の平面形状が、前記太陽光の集光スポットを内包する長方形であり、主面を（００１）面であることを特徴とする集光型太陽光発電装置。
【請求項２】
太陽光を集光するレンズアレイと、前記集光した太陽光を受光する太陽電池素子と、前記太陽電池素子に接続される放熱板とを有する太陽電池パネルと、
前記太陽電池パネルの姿勢を制御する制御部とを備え、
前記太陽電池素子は、閃亜鉛鉱型の結晶構造を有するＩＩＩ−Ｖ族半導体のｐｎ接合を含む光電変換部と、電極とを有し、
前記光電変換部は、長辺及び短辺を有する長方形の平面を、太陽光の入射面とする直方体である集光型太陽光発電装置。
【請求項３】
光電変換部は、
前記直方体の厚み方向は、太陽光の入射方向と略一致させ、
かつ直方体の長方形の長辺の方向は、水平方向と直交する方向に略一致させるように、太陽光パネルに配置する請求項１記載の集光型太陽光発電装置。
【請求項４】
太陽光パネルは、
水平方向をＸ軸、厚み方向をＺ軸、太陽光パネル表面においてＸ軸と直交する方向をＹ軸とする直交座標の位置に配置され、
光電変換部は、
直方体の短辺方向、長辺方向、厚み方向を、太陽光パネルの前記Ｘ軸、前記Ｙ軸、前記Ｚ軸に、それぞれ平行関係を有するように配置される請求項１記載の集光型太陽光発電装置。
【請求項５】
集光型太陽光発電装置は、太陽光パネルを支える支柱と、前記支柱を固定する基台とを備え、
太陽電池パネルは、基台と支柱とによって、道路周辺に設置される請求項２記載又は請求項３の集光型太陽光発電装置。
【請求項６】
光電変換部の太陽光入射面は、（００１）面とする請求項１から４のいずれかに記載の集光型太陽光発電装置。
【発明の詳細な説明】
【技術分野】
【０００１】
本発明は、道路周辺に設置して発電する集光型太陽電池を備えた発電装置に関する。
【背景技術】
【０００２】
太陽電池は、太陽光エネルギーを電気エネルギーに変換する。特許文献１は、高速道路の遮音壁に備えられた非集光式の太陽電池パネルを開示している。
単位面積当たりの発電電力の大きい集光型太陽電池は、太陽光をレンズで太陽電池素子に集光して発電する。集光型太陽電池は、レンズで集光した焦点スポット上にのみ太陽電池素子を配置するため、高価で高変換効率の太陽電池素子を用いても、集光型太陽電池の総コストは低く抑えられる。さらに、集光による光電エネルギー変換効率が増加し、大きな発電電力を生み出せる。
集光型太陽電池は、非集光式太陽電池パネルに比べて発電効率が高く、道路の面積を有効に使用して発電できる。
特許文献２は、集光型太陽電池を備えた太陽追尾駆動装置を開示している。太陽光追尾駆動装置は、入射光が太陽電池パネルに対して垂直となるように、姿勢を追尾制御する。
図５は、従来の集光型太陽電池に適用されるレンズと太陽電池素子を示した斜視図である。従来の光電変換部１１の入射表面は、正方形の平面形状を有する。光電変換部１１の平面サイズは、集光レンズ４２を通過した太陽光の集光スポットＬｓをほぼ内接するサイズか、もしくはそれに若干の余裕を持たせた程度となっている。
【先行技術文献】
【特許文献】
【０００３】
【特許文献１】特開平９−５９９４０号公報
【特許文献２】特開２００９−１７７０８２号公報
【発明の概要】
【発明が解決しようとする課題】
【０００４】
しかし、道路の側部に設置した集光型太陽光パネルは、車両の走行によって地盤が振動し、振動に伴い発電効率が低下するという課題があった。これは以下の理由による。
集光型太陽電池は、太陽電池素子のサイズが小さく、太陽電池素子の光電変換部に太陽光の焦点を合わせるための位置合わせが必要となる。
集光型太陽電池を設置している地盤の振動よって、集光用レンズによる太陽光の焦点位置が太陽電池素子上から移動し、発電効率が低下する。
図を用いて、太陽電池パネルの振動に伴い、太陽光の焦点位置が、ずれる様子を示す。
図６（ａ）から（ｃ）は、太陽電池パネルを備えた太陽追尾装置の設置状態を示す。図６（ｄ）から（ｆ）は、太陽電池素子への集光状態を示す。
図６（ａ）は、振動が発生していない状態の集光型太陽パネルの設置状態を示す。
集光型太陽電池パネル１０は、基台１０６上に設けられた支柱１０５上に設置されている。
太陽光は、集光型太陽電池パネルの表面に対して、垂直（θ１＝９０度）方向に入射する。
図６（ｄ）は、図６（ａ）の状態における、太陽光が、集光用レンズアレイ１０１を介して太陽電池素子２０に集光照射する様子を示す。図６（ｂ）に示すように、太陽光は、集光用レンズアレイ１０１によって、太陽電池素子２０に集光するように焦点があっている。
図６（ｂ）は、振動が発生し、後方（矢印Ａ方向）に支柱１０５と集光型太陽電池パネル１０とが移動する様子を示す。太陽光は、集光型太陽電池パネルの表面に対して、角度θ１が９０度以上の方向に入射する。
図６（ｅ）は、図６（ｂ）の状態における、太陽光が、集光用レンズアレイ１０１を介して太陽電池素子２０に集光照射する様子を示す。図６（ｅ）に示すように、太陽光は、太陽電池素子２０に焦点位置がずれている。
図６（ｃ）は、振動が発生し、前方（矢印Ｂ方向）に支柱１０５と集光型太陽電池パネル１０とが移動する様子を示す。太陽光は、集光型太陽電池パネルの表面に対して、角度θ１が９０度以下の方向に入射する。
図６（ｆ）は、図６（ｃ）の状態における、太陽光が、集光用レンズアレイ１０１を介して太陽電池素子２０に集光照射する様子を示す。図６（ｆ）に示すように、太陽光は、太陽電池素子２０に焦点位置がずれている。
このように、太陽電池パネルの前後方向の振動により、集光用レンズによる太陽光のレンズ位置がズレることにより、太陽電池の発電効率が低下する。
本発明は、前記従来の課題を解決するもので、集光型太陽電池を設置している地盤が振動しても、変換効率が低下を抑える集光型太陽電池を提供する。
【課題を解決するための手段】
【０００５】
前記従来の課題を解決するために、本発明の集光型太陽光発電装置は、
太陽光を集光するレンズアレイと、前記集光した太陽光を受光する太陽電池素子と、前記太陽電池素子に接続される放熱板とを有する太陽電池パネルと、
前記太陽電池パネルの姿勢を制御する制御部とを備え、
前記太陽電池素子は、閃亜鉛鉱型の結晶構造を有するＩＩＩ−Ｖ族半導体のｐｎ接合を含む光電変換部と、電極とを有し、
前記光電変換部は、長辺及び短辺を有する長方形の平面を、太陽光の入射面とする直方体である。
【０００６】
また、前記集光型太陽電池を設置したときに、前記集光型太陽電池パネルの一辺が地面に対して水平であり、前記光電変換部の短辺方向がパネル面内の水平方向に一致することが望ましい。
【発明の効果】
【０００７】
本発明の集光型太陽電池は、光電変換部の長尺化により、振動による集光焦点の位置ズレを許容し、振動による発電量の低下を抑制できる。例えば、道路の側部に集光型太陽電池を設置した際の、車両の走行に伴う振動の影響を抑制できる。
【図面の簡単な説明】
【０００８】
【図１】本発明の実施の形態における集光型太陽電池装置の構成を示す斜視図。
【図２】本発明の実施の形態における集光型太陽電池装置を構成する集光用レンズと太陽電池素子の斜視図。
【図３】（ａ）本発明の実施形態における集光型太陽電池装置を構成する太陽電池素子の断面模式図。（ｂ）本発明の実施形態における集光型太陽電池装置を構成する太陽電池素子を集光用レンズの側から見た平面図。（ｃ）本発明の実施形態における集光型太陽電池装置を構成する太陽電池素子を放熱板の側から見た平面図。
【図４】本発明の実施形態における集光型太陽電池装置を構成する発電パネルを入射光側から見た平面図、放熱板上の太陽電池素子の配置と配線の一例を示す図。
【図５】従来の集光型太陽電池装置における、集光用レンズと光電変換部の拡大図。
【図６】（ａ）振動が発生していないときの集光型太陽電池装置の側面図。（ｂ）振動が発生し、支柱と太陽電池パネルが後方に移動したときの集光型太陽電池装置の側面図。（ｃ）振動が発生し、支柱と太陽電池パネルが前方に移動したときの集光型太陽電池装置の側面図。（ｄ）図６（ａ）の状態における、太陽光が、集光用レンズを介して太陽電池素子に集光照射する様子を示す、集光用レンズと太陽電池素子の拡大図。（ｅ）図６（ｂ）の状態における、太陽光が、集光用レンズを介して太陽電池素子に集光照射する様子を示す、集光用レンズと太陽電池素子の拡大図。（ｆ）図６（ｃ）の状態における、太陽光が、集光用レンズを介して太陽電池素子に集光照射する様子を示す、集光用レンズと太陽電池素子の拡大図。
【図７】本発明の実施の形態における光電変換部の配置関係を示す斜視図。
【図８】本発明の実施の形態における光電変換部の配置関係を示す斜視図。
【発明を実施するための形態】
【０００９】
本発明の一実施態様の集光型太陽光発電装置は、
太陽光を集光するレンズと、前記集光した太陽光を受光する太陽電池素子と、前記太陽電池素子に接続される放熱板とを有する太陽電池パネルと、
前記太陽電池パネルの姿勢を制御する制御部とを備え、
前記太陽電池素子は、閃亜鉛鉱型の結晶構造を有するＩＩＩ−Ｖ族半導体のｐｎ接合を含む光電変換部と、電極とを有し、
前記光電変換部は、長辺及び短辺を有する長方形の平面を、太陽光の入射面とする直方体である。
光電変換部は、
前記直方体の厚み方向（Ｚ軸方向）は、太陽光の入射方向と略一致させ、かつ直方体の長方形の長辺の方向（Ｙ軸方向）は、水平方向と直交する方向に略一致させるように、太陽光パネルに配置する。
【００１０】
ここで、直方体の厚み方向（Ｚ軸方向）と太陽光の入射方向との略一致とは、−５度〜５度の範囲で一致させることである。
【００１１】
直方体の長方形の長辺の方向（Ｙ軸方向）と、水平方向と直交する方向との略一致とは、−５度〜＋５度の範囲で一致させることである。
太陽光パネルは、
水平方向をＸ軸、厚み方向をＺ軸、太陽光パネル表面においてＸ軸と直交する方向をＹ軸とする直交座標の位置に配置され、光電変換部は、
直方体の短辺方向、長辺方向、厚み方向を、太陽光パネルの前記Ｘ軸、前記Ｙ軸、前記Ｚ軸に、それぞれ平行関係を有するように配置される。
【００１２】
更に、集光型太陽光発電装置は、太陽光パネルを支える支柱と、前記支柱を固定する基台とを備え、
太陽電池パネルは、基台と支柱とによって、道路周辺に設置される。
更に、光電変換部の太陽光入射面は、（００１）面とする。
以下、本発明の実施の形態について、図面を参照しながら説明する。
（実施の形態１）
図１は、本発明の実施の形態における集光型太陽光発電装置の一例を示す。
集光型太陽光発電装置は、図１に示すように集光型太陽電池パネル１０と、集光型太陽電池パネル１０を支える支柱１０５と、支柱１０５を支える基台１０６と、太陽電池パネルを駆動制御する駆動装置と制御部を備える。
太陽電池パネルは、放熱板１０４上に、集光用レンズアレイ１０１と太陽電池素子２０とを備えた集光型太陽電池を複数設ける。本実施形態の集光型太陽電池パネル１０は、集光型太陽電池を格子状に配置する。
太陽電池パネル１０の姿勢は、図１に示す直交座標系（ｘ軸、ｙ軸、ｚ軸）を基準として定義する。ｘ軸方向は、太陽電池パネルを設置する地表に対して水平方向とする。また、集光型太陽電池パネル１０面の横方向の一辺（Ａ）の方向をＸ軸方向と一致させる。
ｚ軸は太陽電池パネル１０の厚み方向、ｙ軸は太陽電池パネル１０面内においてｘ軸と垂直な方向と定義する。
支柱１０５は、支柱の長手方向に第一の回転軸Ｒ１を有し、回転用モータＭ１などの駆動装置を用いて、第一の回転軸Ｒ１を回転させる。第一の回転軸Ｒ１と接続された太陽電池パネル１０は、第一の回転軸Ｒ１を軸心に回転駆動する。
支柱１０５は、端部に水平方向を軸心とする第二の回転軸Ｒ２を有する。第二の回転軸Ｒ２は、回転用モータＭ２などの駆動装置によって回転する。第二の回転軸Ｒ２に連結された太陽電池パネル１０は、第二の回転軸Ｒ２（Ｘ軸方向）を軸心に回転駆動する。
このように、太陽電池パネル１０は、Ｘ軸方向と支柱１０５の長手方向とを軸心として回転駆動する。
制御部１０８は、太陽電池パネルの姿勢を制御する。具体的には、制御部１０８は、データベース１０９に記憶されている集光型太陽電池の設置された地点における緯度や経度、及び、タイマーから出力された現在時刻の情報を取得する。
そして、それらの情報を元に、現在時刻において集光型太陽電池の太陽電池パネル１０が発電を行うに際して好適となる角度を算出する。そして、回転用モータなどの駆動装置に与える回転角を演算し、駆動装置を制御する。
このように、駆動装置を制御することにより、太陽光の動きに応じて、太陽電池パネル１０の姿勢を制御して追従動作する。
本実施形態では、太陽電池素子に対して太陽光が略垂直に入射する。
本実施形態では、太陽光パネルの表面への入射角は、例えば８９度〜９１度の範囲とする
図３は、集光用レンズアレイ１０１と、太陽電池素子２０、と放熱板を有する集光型太陽電池を示す。図３（ａ）は、一個の集光型太陽電池の断面図を示す。図３（ｂ）は、同上面図を示し、図３（ｃ）は同下面図を示す。
集光型太陽電池は、放熱板１０４、太陽電池素子２０、集光用レンズアレイ１０１が順に積層される。
集光用レンズアレイ１０１は、太陽電池素子の上面（受光面）と接着層２０２を介して固定する。
集光用レンズアレイ１０１と放熱板１０４とに挟まれた、太陽電池素子２０を含む領域は、封止用樹脂１０３によって封止される。太陽電池素子２０は、各集光レンズアレイの焦点位置に配置される。
配置する際、長辺方向がｙ軸方向と平行になるように配置する。
集光用レンズアレイ１０１は、太陽電池素子２０に対して太陽光を集光する。
太陽電池素子２０は、光電変換部（光電変換素子）２０１、絶縁膜２０３、上部電極２１１、下部電極２１２、第１電極２１３、第２電極２１４を備える。
図２は光電変換部２０１の拡大概略斜視図を示す。
光電変換部（光電変換素子）２０１は、閃亜鉛鉱型の結晶構造を有するＩＩＩ−Ｖ族化合物半導体から構成される。
光電変換部２０１は、集光スポットＬｓを内包する直方体となるように構成する。すなわち、光電変換部２０１の表面２０１ａから太陽光が集光する集光スポットを有する。
光電変換部２０１の結晶方位は、太陽光が集光する主面２０１ａを（００１）面と一致するように定める。
【００１３】
光電変換部２０１の主面２０１ａの長辺方向２０１ｄは、太陽電池パネル１０のＹ軸方向と略一致するように配置されている。すなわち、直方体の光電変換部２０１の長辺方向、短辺方向、厚み方向は、それぞれ太陽電池パネル１０のＹ軸、Ｘ軸、Ｚ軸と一致する。太陽電池パネル１０がＸ軸方向及び支柱１０５の長手方向を軸心として回転する場合、光電変換部２０１も同じ座標系の位置制御が可能となる。
また、光電変換部２０１は、直方体の厚み方向は、太陽光の入射方向（Ｚ軸方向）と略一致させ、かつ直方体の長方形の長辺の方向は、水平方向と直交する方向（Ｙ軸方向）に略一致させるように、太陽光パネルに配置する。
ここで、直方体の厚み方向と太陽光の入射方向（Ｚ軸方向）との一致範囲について説明する。
図８（ａ）は、直方体の厚み方向と太陽光の入射方向とが一致した状態を示す。図８（ｂ）、図８（ｃ）は、直方体の厚み方向と太陽光の入射方向とが許容範囲内で誤差ズレを生じた状態を示す。
直方体の厚み方向と太陽光の入射方向（Ｚ軸方向）との一致範囲とする、許容範囲は−５度＜角度ψ＜＋５度の範囲で一致することである。本明細書で略一致とは、前記許容範囲（ψ ＝±５度）と定義する。図８は、厚み方向に関して、Ｙ軸とＺ軸（太陽光入射角）で説明したが、Ｘ軸とＺ軸との関係でも、許容範囲は、を軸とした場合も−５度＜角度ψ＜＋５度の範囲で一致することである。
【００１４】
次に、直方体の長方形の長辺の方向と、水平方向と直交する方向（Ｙ軸方向）との一致範囲について説明する。
図７（ａ）は、直方体の長方形の長辺の方向と、水平方向と直交する方向（Ｙ軸方向）とが一致した状態を示す。図７（ｂ）、図７（ｃ）は、直方体の長方形の長辺の方向と、水平方向と直交する方向（Ｙ軸方向）とが許容範囲内（φ＝±５度）で誤差ズレを生じた状態を示す。
本明細書で略一致とは、−５度＜角度ψ＜＋５度の範囲で一致することである。
本実施形態において、振動によって、太陽電池パネルが振動する場合を考える。
太陽電池パネルがＸ軸方向に振動する場合、太陽電池パネルは水平方向に移動するだけであり、太陽電池パネルに対する入射角は変化せず、集光率は低下しない。
太陽電池パネルがＹ軸方向に振動する場合、図６で示すように太陽電池パネルに対する入射角（θ１）は変化し、集光スポットＬｓの位置ズレが発生する。しかしながら、Ｙ軸の振動方向と光電変換部２０１の長辺方向とは一致し、光電変換部２０１がＹ軸方向を長辺とする直方体とすることで、Ｙ軸方向の焦点位置のズレが発生しても、集光スポットＬｓがズレた位置に、光電変換部２０１が位置するので、発電量の低下を抑制できる。すなわち、光電変換部２０１の長尺化による集光スポットＬｓの位置ズレを許容する効果による。
光電変換部２０１は、ｐｎ接合が積層された半導体層である。例えば、半導体層としては、ｎ型のＧａＡｓ薄膜とｐ型のＧａＡｓ薄膜が積層されたもの、または、光入射面から順に、ｎ型ＩｎＧａＰ膜、ｐ型ＩｎＧａＰ膜、トンネル接合膜、ｎ型ＧａＡｓ膜、ｐ型ＧａＡｓ膜、トンネル接合膜、ｎ型ＩｎＧａＡｓ膜、ｐ型ＩｎＧａＡｓ膜が積層されたものがある。また、上記半導体層のｐｎ接合の順序が反対でも良い。この場合、ｎｐ接合が積層された構造となる。
また、光電変換部２０１の感度波長領域での光反射率を低減するために、光電変換部２０１の表面に反射防止膜を設けても良い。
光電変換部２０１の外形サイズは、放熱性、レンズのサイズの影響を考えて、面内の短辺方向が０．１ｍｍ程度から１ｍｍ程度、厚みは十分に太陽光を吸収できる数μｍ程度から１０μｍ程度が望ましい。光電変換部２０１の長辺と短辺の長さの比率は、道路の振動による集光スポット位置の振幅とを考慮して、１対２から１対４程度が望ましい。
光電変換部２０１で発生した電力を取り出す電極の構成は、太陽電池素子２０の上下どちらかの片面から正負両極を取り出すのが望ましい。ここでは、太陽電池素子２０の下部から電極を取り出す構成、すなわち、放熱板１０４上に素子間を電気的に接続する配線を形成する構成について記述する。
図３（ｂ）に示すように、上部電極（グリッド電極）２１１は、光電変換部２０１の受光面（光電変換部２０１の上部）上に櫛歯状に形成される。上部電極は、光電変換部２０１を跨ぐように第１電極２１３と電気的に接続する。
下部電極２１２は、光電変換部２０１の下部（受光面と対向する面）に形成される。
絶縁膜２０３は、光電変換部２０１の側面と下面（下部電極の一部を含む）に設けられ、第１電極２１３及び光電変換部２０１、第２電極２１４及び光電変換部２０１、第１電極２１３及び下部電極２１２との電気的に絶縁する。
第１電極２１３は、絶縁膜２０３を介して光電変換部２０１の側壁から下部に突出して形成され、上部電極２１１に電気的に接続される。
第２電極２１４は、下部電極２１２に電気的に接続する。
太陽電池素子２０と放熱板１０４との電気的接合について説明する。
金属バンプ２１５は、第１電極２１３と放熱板１０４上のバス電極２２１と電気的に接続する。
また、金属バンプ２１５は、第２電極２１４と放熱板（ベース基台）１０４とを電気的に接続する。
金属バンプは柔軟な材料を用いることによって、第１電極２１３と第２電極２１４の高さのズレがあっても、放熱板１０４上に形成した配線と、第１電極２１３と第２電極２１４との電気的に接続できる。
このように、光電変換部で発電した電気を上部電極２１１、第１電極２１３、金属バンプ２１５、バス電極２２１の電気的な接続経路と、下部電極２１２、第２電極２１４、金属バンプ２１５、放熱板（ベース基台）１０４との電気的な接続経路とを形成することで、外部に取り出す。
上部電極２１１及び下部電極２１２の材質は、光電変換部２０１との界面での高い密着性と低抵抗なオーミック接続を考えて、チタンを下地層として、その上に金、白金、銀などの金属の薄膜を層状に積み重ねることが望ましい。
第１電極２１３及び第２電極２１４は、加工性や化学的安定性を考えてめっきで形成した金電極が望ましい。
金属バンプ２１５は、加工性を考えて、微細な金属粒子を用いた金ペーストや銀ペースト、もしくは、半田が望ましい。
放熱板１０４は、図４に一例を示すように、例えばアルミニウム板、銅板などのベース基台に、絶縁膜２２２を介して所望のバス電極２２１の配線が形成される。バス電極２２１は、太陽電池素子２０の電極に接続され、外部への電気の取り出しを行う電極パターンと、太陽電池素子２０の相互間を直列、あるいは並列に接続するための電極パターンを有する。
封止用樹脂１０３の材質は、一般的に用いられている、ＥＶＡ樹脂、エポキシ樹脂、アクリル樹脂、および、シリコーン樹脂などが挙げられる。
集光用レンズアレイ１０１に用いるレンズの種類としては、両凸レンズ、平凸レンズ、フレネルレンズ、カセグレン型レンズなどが挙げられる。
集光用レンズアレイ１０１の材質は、光電変換部２０１の感度波長光における透過率が高く、耐候性を有するものが良い。例えば、集光型太陽光発電モジュールなどに一般的に使用される薄板ガラス、耐候性グレードのアクリル、ポリカーボネートなどを適用することが可能である。なお、集光用レンズアレイ１０１の材料は、これらの材料に限定されるものではなく、これらの材料を複層構成としたものでも良い。また、これら材料に、集光用レンズアレイ１０１自体やその他の部材の紫外線劣化を防ぐ目的で、紫外線吸収剤を添加することも可能である。
支柱１０５は、第一の回転軸Ｒ１と第二の回転軸Ｒ２の計二軸の追尾駆動装置を具備する。第一の回転軸Ｒ１と第二の回転軸Ｒ２は、太陽電池パネル１０の受光面が太陽の方向を向くように、太陽電池パネル１０の姿勢を追尾駆動する。第一の回転軸Ｒ１は、鉛直に立設された支柱１０５の柱方向を回転軸とし、回転方向は水平面内である。第二の回転軸Ｒ２は、支柱の上端に載置され、太陽電池パネル１０を垂直方向に自在に回転させる。第二の回転軸Ｒ２の回転軸は、太陽電池パネル１０のパネル面の水平方向に平行（図１中のｘ軸方向）とする。
【産業上の利用可能性】
【００１５】
本発明にかかる集光型太陽電池は、振動による集光スポットの位置ズレに伴う発電出力の低下を抑制し、道路周辺に設置する太陽電池として有用である。
【符号の説明】
【００１６】
１０    太陽電池パネル（集光型太陽電池パネル）
２０    太陽電池素子
１０１  集光用レンズアレイ
１０３  封止用樹脂
１０４  放熱板
１０５  支柱
１０６  基台
Ｌｓ    集光スポット
Ｒ１    第一の回転軸
Ｒ２    第二の回転軸
２０１、１１  光電変換部
２０２  接着層
２０３  絶縁膜
２１１  上部電極（グリッド電極）
２１２  下部電極
２１３  第１電極（上部取り出し電極）
２１４  第２電極（下部取り出し電極）
２１５  金属バンプ
２２１  バス電極
２２２  絶縁膜
【図１】
2013008765.tif 000003
【図２】
2013008765.tif 000004
【図３】
2013008765.tif 000005
【図４】
2013008765.tif 000006
【図５】
2013008765.tif 000007
【図６】
2013008765.tif 000008
【図７】
2013008765.tif 000009
【図８】
2013008765.tif 000010